【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
インクジェットヘッドを有する装置であって、
前記インクジェットヘッドは、
インク滴が吐出される複数のノズルが形成されたオリフィスプレートと、
第１のレストリクタプレートと、
それぞれのノズルと連絡する複数のチャンバを形成し、且つ前記インクジェットヘッドを通じてインクを循環させる戻りマニフォールドを形成する、少なくとも１つのチャンバプレートと、
第２のレストリクタプレートと、
前記チャンバを封止するダイヤフラムを有するダイヤフラムプレートと
を有し、
前記第１のレストリクタプレートは、前記チャンバと前記戻りマニフォールドとの間でインクの流れを制御し、
前記第２のレストリクタプレートは、供給マニフォールドと前記チャンバとの間でインクの前記流れを制御する、
装置。
【請求項２】
前記インクジェットヘッドは更に、
前記チャンバとは反対側の位置で前記ダイヤフラムに取り付けられた複数の圧電素子
を有する、請求項１に記載の装置。
【請求項３】
前記インクジェットヘッドは更に、
前記圧電素子が通り抜けて前記ダイヤフラムプレートと接触するための開口を含む筐体であり、前記ダイヤフラムプレートに面する表面に、前記圧電素子用の前記開口を包囲して前記供給マニフォールドを形成する第１の溝を含む筐体
を有する、請求項２に記載の装置。
【請求項４】
前記筐体は、前記表面に、前記戻りマニフォールド用の少なくとも１つの第２の溝を含む、請求項３に記載の装置。
【請求項５】
前記供給マニフォールドを第１のインク容器に接続する、前記筐体の前記第１の溝内の注入孔と、
前記戻りマニフォールドを第２のインク容器に接続する、前記筐体の前記少なくとも１つの第２溝内の排出孔と、
を更に有する請求項４に記載の装置。
【請求項６】
前記供給マニフォールドから、前記チャンバを介して、そして前記戻りマニフォールドを介して外にインクを循環させるため、
前記供給マニフォールドでの圧力（Ｐ＿ｉｎ）が正であり、
前記戻りマニフォールドでの圧力（Ｐ＿ｏｕｔ）が負であり、且つ
Ｐ＿ｉｎ＋Ｐ＿ｏｕｔが前記ノズルの位置で負である、
請求項１に記載の装置。
【請求項７】
前記少なくとも１つのチャンバプレートは、
前記チャンバを形成する第１の開口の列を含む第１のチャンバプレートと、
前記チャンバを形成する第２の開口の列を含む第２のチャンバプレートであり、前記第２の開口の列に平行な、前記戻りマニフォールドを形成する細長い開口を含む第２のチャンバプレートと、
を有する、請求項１に記載の装置。
【請求項８】
前記第１のチャンバプレートは、前記第１の開口の列の側方にずらして置かれた、前記戻りマニフォールドを形成する開口を含む、請求項７に記載の装置。
【請求項９】
インクジェットヘッドを有する装置であって、
前記インクジェットヘッドは、インクを吐出する複数のインクチャネルを有し、各インクチャネルは、ノズルと、第１の制限器と、チャンバと、ダイヤフラムと、第２の制限器とを含み、
前記インクの吐出方向において、前記第１の制限器は前記第２の制限器よりも前記ノズルに近い位置に配置され、前記第２の制限器は前記第１の制限器よりも前記ダイヤフラムに近い位置に配置され、
前記インクジェットヘッドは更に、前記インクジェットヘッドが前記ノズルを介してインクを吐出していないときに、前記インクチャネルを通じてインクを循環させる戻りマニフォールドを含み、
前記第１の制限器は、前記チャンバと前記戻りマニフォールドとの間でインクの流れを制御し、
前記第２の制限器は、インクの供給マニフォールドと前記チャンバとの間でインクの前記流れを制御する、
装置。
【請求項１０】
前記インクジェットヘッドは、
インクが吐出される複数のノズルが形成されたオリフィスプレートと、
第１のレストリクタプレートと、
前記複数のチャンバを形成し、且つ前記戻りマニフォールドを形成する少なくとも１つのチャンバプレートと、
第２のレストリクタプレートと、
前記チャンバを封止する前記ダイヤフラムを有するダイヤフラムプレートと
を含む、請求項９に記載の装置。
【請求項１１】
前記インクジェットヘッドは更に、
前記チャンバとは反対側の位置で前記ダイヤフラムに取り付けられた複数の圧電素子
を含む、請求項１０に記載の装置。
【請求項１２】
前記インクジェットヘッドは更に、
前記圧電素子が通り抜けて前記ダイヤフラムプレートと接触するための開口を含む筐体であり、前記ダイヤフラムプレートに面する表面に、前記圧電素子用の前記開口を包囲して前記供給マニフォールドを形成する第１の溝を含む筐体
を含み、
前記筐体は、前記表面に、前記戻りマニフォールド用の少なくとも１つの第２の溝を含む、
請求項１１に記載の装置。
【請求項１３】
前記筐体は、
前記供給マニフォールドを第１のインク容器に接続する、前記筐体の前記第１の溝内の注入孔と、
前記戻りマニフォールドを第２のインク容器に接続する、前記筐体の前記少なくとも１つの第２溝内の排出孔と
を含む、請求項１２に記載の装置。
【請求項１４】
前記供給マニフォールドから、前記チャンバを介して、そして前記戻りマニフォールドを介して外にインクを循環させるため、
前記供給マニフォールドでの圧力（Ｐ＿ｉｎ）が正であり、
前記戻りマニフォールドでの圧力（Ｐ＿ｏｕｔ）が負であり、且つ
Ｐ＿ｉｎ＋Ｐ＿ｏｕｔが前記ノズルの位置で負である、
請求項９に記載の装置。
【請求項１５】
インクの前記流れが前記インクチャネル内で反転可能である、請求項９に記載の装置。
【請求項１６】
インクジェットヘッドを有する装置であって、
前記インクジェットヘッドは、
ダイヤフラムプレートと、
第１のレストリクタプレートと、
少なくとも１つのチャンバプレートと、
第２のレストリクタプレートと、
オリフィスプレートと
を有し、
前記オリフィスプレートは複数のノズルを形成し、
前記少なくとも１つのチャンバプレートは、前記ノズルと連絡する複数のチャンバを形成し、且つ前記インクジェットヘッドを通じてインクを循環させるときに前記チャンバからインクを受け取る戻りマニフォールドを形成し、
前記ダイヤフラムプレートは、前記チャンバを封止するダイヤフラムを形成し、
前記第１のレストリクタプレートは、前記インクジェットヘッドを通じてインクを循環させるよう、前記チャンバと前記戻りマニフォールドとの間でインクの流れを制御し、
前記第２のレストリクタプレートは、供給マニフォールドと前記チャンバとの間でインクの前記流れを制御する、
装置。
【請求項１７】
前記ダイヤフラムプレートは、
縦方向に延在して前記供給マニフォールドと連絡するフィルタ部と、
縦方向に延在して前記チャンバと連絡するセミフレキシブル材料で形成された前記ダイヤフラムと、
前記戻りマニフォールドを形成する少なくとも１つの開口と
を有する、請求項１６に記載の装置。
【請求項１８】
前記少なくとも１つのチャンバプレートは、
第１のチャンバプレートであり、
前記チャンバを形成する第１の開口の列と、
前記戻りマニフォールドを形成する少なくとも１つの開口と
を含む第１のチャンバプレートと、
第２のチャンバプレートであり、
前記チャンバを形成する第２の開口の列と、
前記第２の開口の列に平行な、前記戻りマニフォールドを形成する細長い開口と
を含む第２のチャンバプレートと
を有する、請求項１６に記載の装置。
【請求項１９】
前記第１のレストリクタプレートは、前記供給マニフォールドを前記チャンバに流体的に接続し且つ前記チャンバへのインクの前記流れを制御する制限器、を形成する開口の列を含み、
前記第２のレストリクタプレートは、前記チャンバを前記戻りマニフォールドに流体的に接続し且つ前記戻りマニフォールドへのインクの前記流れを制御する制限器、を形成する開口の列を含む、
請求項１６に記載の装置。
【請求項２０】
前記供給マニフォールドと前記戻りマニフォールドとの間で、インクの前記流れが前記インクジェットヘッド内で反転可能である、請求項１６に記載の装置。